(57)【特許請求の範囲】
【請求項１】
対向する一対の壁構成材と当該両壁構成材間に架設された屋根構成材とを備える複数のユニットを奥行方向に連接して構成した建物であって、
前記壁構成材および前記屋根構成材は、それぞれ、外殻板と、当該外殻板の室内側に配置された継手板とを備えており、
前記各ユニットにおいて、前記壁構成材の前記継手板および前記屋根構成材の前記継手板が同一平面上にあり、かつ、前記壁構成材の前記外殻板の上辺が前記屋根構成材の前記外殻板に突き合わされていることを特徴とする建物。
【請求項２】
前記壁構成材および前記屋根構成材が、それぞれ押出形材からなり、
前記壁構成材の前記継手板の上端部および前記屋根構成材の前記継手板の端部が切除されていることを特徴とする請求項１に記載の建物。
【請求項３】
対向する一対の壁構成材と当該両壁構成材間に架設された屋根構成材と前記両壁構成材間に配設された床構成材とを備える複数のユニットを奥行方向に連接して構成した建物であって、
前記壁構成材、前記屋根構成材および前記床構成材は、それぞれ、外殻板と、当該外殻板の室内側に配置された継手板とを備えており、
前記各ユニットにおいて、前記壁構成材の前記継手板、前記屋根構成材の前記継手板および前記床構成材の前記継手板が同一平面上にあり、かつ、前記壁構成材の前記外殻板の上辺が前記屋根構成材の前記外殻板に突き合わされており、前記壁構成材の前記外殻板の下辺が前記床構成材の前記外殻板に突き合わされていることを特徴とする建物。
【請求項４】
前記壁構成材、前記屋根構成材および前記床構成材が、それぞれ押出形材からなり、
前記壁構成材の前記継手板の上端部および前記屋根構成材の前記継手板の端部が切除されるとともに、前記壁構成材の前記継手板の下端部および前記床構成材の前記継手板の端部が切除されていることを特徴とする請求項３に記載の建物。
【請求項５】
前記継手板の先端部が、折り曲げられていることを特徴とする請求項１乃至請求項４のいずれか一項に記載の建物。
【発明の詳細な説明】
【技術分野】
【０００１】
本発明は、住宅やコテージなどの建物に関する。
【背景技術】
【０００２】
従来、住宅やコテージ等の建物の構造形式として鉄筋コンクリート構造が知られているが、現場での作業が多く工期が長くなるという問題がある。かかる問題は、木材を現場で加工しつつ組み立てる木造の建物にも共通して当てはまる。このような課題を解決すべく、従来より、床、壁、屋根等を構成する各部材を予め工場で製造しておくプレファブ構法が広く採用されている（例えば、非特許文献１参照）。
【０００３】
【非特許文献１】社団法人日本建築学会，「構造用教材」，第２版，１９９５年１２月２５日，ｐ．３１
【発明の開示】
【発明が解決しようとする課題】
【０００４】
プレファブ構法は、使用する部材を工場で生産するため品質が均等になる、現場での工期が短くなる、大量生産により低価格化を図ることができる、といった様々な利点がある一方で、部材の寸法・形状が規格化されていることが多いことから、デザインが画一的で単調になり易いといった問題がある。特に、長方形を基調とした壁パネルや床パネルは、デザイン性に乏しく、斬新で洗練されたデザインの妨げとなっている。
【０００５】
また、工場生産された床パネルや壁パネルをボックス状に組み付けて直方体の空間を構成する場合、各パネルが長方形であれば、その製造が容易になるが、屋根面に勾配をつける場合は、壁パネル間に別途小屋組を形成したうえで、当該小屋組上に屋根パネルを覆設する必要があるため、床パネルと壁パネルとの接合構造と屋根パネルと壁パネルとの接合構造とを同一にすることができないという問題がある。また、壁パネルが構造材となる壁式構造の場合、構造上、一定量の壁パネルを配置する必要があることから、間取りの自由度が低いという問題もある。
【０００６】
また、プレファブ構法の中には、柱梁が構造体となる軸組構造のものもあるが、この場合には、構造材となる柱梁の他に、外装材等の仕上材を用意する必要があるため、結局のところ作業に手間を要してしまう。
【０００７】
そこで、本発明は、構造材が外装材を兼ねることができる建物であって、プレファブ構法の利点を活かしながらも、斬新で洗練されたデザインを採用することができ、且つ、容易に組み立てることができる建物を提供することを課題とする。
【課題を解決するための手段】
【０００８】
このような課題を解決するために、請求項１の発明は、対向する一対の壁構成材と当該両壁構成材間に架設された屋根構成材とを備える複数のユニットを奥行方向に連接して構成した建物であって、前記壁構成材および前記屋根構成材は、それぞれ、外殻板と、当該外殻板の室内側に配置された継手板とを備えており、前記各ユニットにおいて、前記壁構成材の前記継手板および前記屋根構成材の前記継手板が同一平面上にあり、かつ、前記壁構成材の前記外殻板の上辺が前記屋根構成材の前記外殻板に突き合わされていることを特徴とする。
【０００９】
かかる建物は、構造材となる一対の壁構成材と屋根構成材とを少なくとも備える複数のユニットを奥行方向に隙間なく立設して構成したものである。すなわち、隙間なく並べられた複数の壁構成材により建物の壁面が構成され、同じく隙間なく並べられた複数の屋根構成材により建物の屋根面が構成されることになる。また、構造材たる各構成材が隙間なく並べられているので、各構成材が外装材を兼ねることができる。なお、別途外装材を取り付けても勿論よい。さらに、門型構造であることから、必ずしも建物内部に壁を配置する必要がなく、その結果、間取りの自由度が非常に高いものとなる。そして、例えば、各ユニットの寸法を漸次変化させることにより、壁面間の距離（横幅）や天井高さが漸増・漸減するような斬新なデザインの建物を容易に構築することが可能となる。なお、「奥行方向」とは、屋根傾斜方向（流れ方向）を水平面に射影したときの方向をいう。
【００１０】
請求項２の発明は、請求項１に記載の建物であって、前記壁構成材および前記屋根構成材が、それぞれ押出形材からなり、前記壁構成材の前記継手板の上端部および前記屋根構成材の前記継手板の端部が切除されていることを特徴とする。
【００１１】
請求項３の発明は、対向する一対の壁構成材と当該両壁構成材間に架設された屋根構成材と前記両壁構成材間に配設された床構成材とを備える複数のユニットを奥行方向に連接して構成した建物であって、前記壁構成材、前記屋根構成材および前記床構成材は、それぞれ、外殻板と、当該外殻板の室内側に配置された継手板とを備えており、前記各ユニットにおいて、前記壁構成材の前記継手板、前記屋根構成材の前記継手板および前記床構成材の前記継手板が同一平面上にあり、かつ、前記壁構成材の前記外殻板の上辺が前記屋根構成材の前記外殻板に突き合わされており、前記壁構成材の前記外殻板の下辺が前記床構成材の前記外殻板に突き合わされていることを特徴とする。
【００１２】
請求項４の発明は、請求項３に記載の建物であって、前記壁構成材、前記屋根構成材および前記床構成材が、それぞれ押出形材からなり、前記壁構成材の前記継手板の上端部および前記屋根構成材の前記継手板の端部が切除されるとともに、前記壁構成材の前記継手板の下端部および前記床構成材の前記継手板の端部が切除されていることを特徴とする。
【００１３】
請求項５の発明は、請求項１乃至請求項４のいずれか一項に記載の建物であって、前記継手板の先端部が、折り曲げられていることを特徴とする。
【発明の効果】
【００１４】
本発明によれば、壁面間の距離（横幅）や天井高さが漸増・漸減するような斬新なデザインの建物を容易に構築することが可能となる。
【発明を実施するための最良の形態】
【００１５】
以下、本発明の実施の形態を、添付した図面を参照しつつ詳細に説明する。なお、本明細書において、「奥行方向」とは、屋根傾斜方向Ｋ１（流れ方向）を水平面に射影したときの方向Ｋ２をいう（図２の参照）。また、「側面視」とは、対象物を奥行方向に直交する方向（図２のＸ矢視方向）から見ることをいい、「平面視」とは、対象物の上面を鉛直方向（図３のＺ矢視方向）から見ることをいう。
【００１６】
第１の実施形態に係る建物Ｔ１は、図１（ａ）（ｂ）に示すように、等脚台形を基調とした建物であって、対向して立設された等脚台形を呈する一対の壁体１，１と、この壁体１，１の上辺間に覆設された等脚台形を呈する屋根２と、壁体１，１の下辺間に配設された等脚台形を呈する床体３とを備えて構成されており、図２に示すように、壁体１の一対の斜辺１ｓ，１ｓがなす角度Ａ、屋根２の一対の斜辺２ｓ、２ｓがなす角度Ｂおよび床体３の一対の斜辺３ｓ，３ｓがなす角度Ｃが総て等しくなっている。すなわち、Ａ＝Ｂ＝Ｃ＝θ’（度）となっている。ここで、図２は、図１（ａ）を模式的に表した図である。なお、屋根面と水平面とがなす角度をθ（度）とすると、角度θ’（度）と以下のような関係がある。
sin（θ／２）＝（sin（Ａ／２））／（cos（Ｂ／２））＝tan（θ’／２）
また、以下では、屋根面と水平面とがなす角度θ（度）を「屋根傾斜角θ（度）」あるいは単に「θ（度）」という。
【００１７】
図３は、建物Ｔ１の側面図（建物Ｔ１を奥行方向に直交する方向から見た図）である。この図に示すように、建物Ｔ１を側面視する（建物Ｔ１を奥行方向に直交する方向から見る）と、壁体１は、その上辺および下辺を斜辺とする等脚台形であることから、その上辺が水平線ｈに対して屋根傾斜角θ（度）で傾斜するとともに、その平行な二辺（短辺１ｔ、長辺１ｕ）が鉛直線ｖに対して角度θ／２（度）だけ背面側に傾斜することになる。また、図１（ｂ）および図２に示すように、壁体１は、その短辺１ｔが床体３の長辺３ｕ側に位置し、長辺１ｕが床体３の短辺３ｔ側に位置するように立設されている。
【００１８】
また、図１（ｂ）に示すように、壁体１は、複数の長尺材１０（以下、「壁構成材１０」という）をその短手方向に隙間なく連接して構成したものであり、屋根２は、複数の長尺材２０（以下、「屋根構成材２０」という）をその短手方向に隙間なく連接して構成したものであり、同様に、床体３は、複数の長尺材３０（以下、「床構成材３０」という）をその短手方向に隙間なく連接して構成したものである。
【００１９】
言い換えると、建物Ｔ１は、図４に示すように、一対の壁構成材１０，１０と屋根構成材２０と床構成材３０とにより枠状に形成された複数のユニットＵ１を奥行方向に隙間なく連接して構成したものであるといえる。なお、以下の説明において、一の構成材と正面側に隣接する他の構成材あるいは背面側に隣接する他の構成材とを区別する場合には、構成材の符号に適宜「’」あるいは「”」を付すこととする。
【００２０】
壁構成材１０は、図５に示すように、その上辺１０ｔと下辺１０ｕとを斜辺とする等脚台形を呈している。また、壁構成材１０を側面視すると、上辺１０ｔと壁構成材１０の中心線ｐとがなす角度が９０−θ／２（度）であり、同じく下辺１０ｕと中心線ｐとがなす角度が９０−θ／２（度）である。なお、壁構成材１０は、床構成材３０に垂直な面内であって、床構成材３０の斜辺３０ｔ（図１０参照）を含む面内に立設されるが、下辺１０ｕと中心線ｐとがなす角度が９０−θ／２（度）であることから、壁構成材１０の中心線ｐが前記した面内において垂直線ｖ（床体３が水平であれば鉛直になる）に対してθ／２（度）だけ傾斜し、且つ、上辺１０ｔが水平線ｈに対してθ（度）で傾斜することになる。また、壁構成材１０を側面視すると、壁構成材１０の一対の斜辺（上辺１０ｔ、下辺１０ｕ）がなす角度は、屋根傾斜角θ（度）と等しい。なお、展開図で見れば、壁構成材１０の一対の斜辺（上辺１０ｔ、下辺１０ｕ）がなす角度は、角度θ’（度）（図２参照）と等しい。
【００２１】
壁体１を構成する複数の壁構成材１０は、その断面の寸法・形状が総て同一であるが、図３に示すように、その長さ寸法が正面側から背面側に向かうにしたがって、順次小さくなっている。すなわち、壁構成材１０の平行な二辺は、その長辺が正面側に隣接する他の壁構成材１０’の短辺と同じ長さになっており、また、その短辺が背面側に隣接する他の壁構成材１０”の長辺と同じ長さになっている。なお、一の壁構成材１０の長さ寸法は、展開図で見たときの幅寸法をＤＷとすると、その正面側に隣接する他の壁構成材１０’よりも２ＤＷ×tan（θ’／２）だけ小さくなっている。
【００２２】
また、壁構成材１０は、図６に示すように、その長手方向に沿って互いに平行に配置された前側継手板１１および後側継手板１２と、この両継手板１１，１２間に配設された等脚台形を呈する外殻板１３とを備えて構成されている。
【００２３】
前側継手板１１および後側継手板１２は、図７（ｃ）に示すように、それぞれ外殻板１３に垂直な面に対して角度θ／２（度）だけ傾斜している。また、図７（ｂ）に示すように、両継手板１１，１２には、それぞれ段差が形成されており、一の壁構成材１０の後側継手板１２を他の壁構成材１０”の前側継手板１１に突き合わせたときに、一の壁構成材１０の後側継手板１２の外面１２ａ（以下、「後側接合端面１２ａ」という）と他の壁構成材１０”の前側継手板１１の外面１１ａ（以下、「前側接合端面１１ａ」という）とが隙間をあけて対向する。すなわち、壁構成材１０は、その前後の縁部に互いに平行な前側接合端面１１ａと後側接合端面１２ａとを有しており、この後側接合端面１２ａを隣接する他の壁構成材１０”の前側接合端面１１ａに突き合わせた状態で他の壁構成材１０”と接合される。
【００２４】
なお、図６に示すように、両継手板１１，１２は、その先端部１１ｂ，１２ｂが内側に折り曲げられており、内装材等を取り付ける際に利用される。また、このようにすると、壁構成材１０の断面性能が向上し、さらに、壁構成材１０を押出形材で形成する場合には、当該押出形材の押出精度が向上するという利点もある。また、壁構成材１０の両継手板１１，１２は、屋根構成材２０の両継手板２１，２２および床構成材３０の両継手板３１，３２と干渉しないように、その長手方向の端部（図６中、符号１１ｃ，１２ｃを付した部位）が切除されている。
【００２５】
また、図６に示すように、一の壁構成材１０の後側継手板１２と他の壁構成材１０の前側継手板１１との間には、平板状の補剛材４１が介設される。
【００２６】
補剛材４１は、図７（ｂ）に示すように、一の壁構成材１０の後側継手板１２（後側接合端面１２ａ）とこれに隣接する他の壁構成材１０”の前側継手板１１（前側接合端面１１ａ）との間に形成された隙間にちょうど嵌り込む厚さに形成されており、一の壁構成材１０の後側継手板１２と他の壁構成材１０”の前側継手板１１とともに、リブＲ１を構成する。すなわち、一の壁構成材１０の後側継手板１２とこれに隣接する他の壁構成材１０”の前側継手板１１と補剛材４１とにより、壁構成材１０，１０”の境界面に沿ってリブＲ１が形成されることになる。なお、各壁構成材１０において、その長手方向に沿って形成された両継手板１１，１２は、それぞれ単独でも「リブ」として機能するが、補剛材４１と一体にしてリブＲ１を形成することで、各ユニットＵ１の剛性をより一層向上させることができる。
【００２７】
なお、本実施形態では、平板状の補剛材４１を使用したが、これに限定されることはなく、その断面形状等を適宜変更しても差し支えない。例えば、図１３に示す補剛材４４のように、断面Ｔ字形状のものであってもよく、さらには、図示は省略するが、長手方向に連続する中空部を備えたものであってもよい。このようにすると、壁構成材１０，１０の境界面に形成されるリブの剛性が格段に向上する。
【００２８】
さらに、図６に示すように、一の壁構成材１０の前側継手板１１と他の壁構成材１０’の後側継手板１２との間であって、壁構成材１０と屋根構成材２０（図４参照）との境界部分には、Ｌ字形状を呈する連結材５１が介設され、同様に、壁構成材１０と床構成材３０（図４参照）との境界部分には、Ｌ字形状を呈する連結材５２が介設される。そして、連結材５１により、壁構成材１０と屋根構成材２０とが剛に接合され、また、連結材５２により壁構成材１０と床構成材３０とが剛に接合されるので、ユニットＵ１の剛性が非常に高いものとなる。
【００２９】
屋根構成材２０は、図８に示すように、壁構成材１０の上辺１０ｔ（図５参照）と接する辺２０ｔ，２０ｕを斜辺とする等脚台形を呈している。また、屋根構成材２０を平面視すると、辺２０ｔ（２０ｕ）と中心線ｐとがなす角度は、９０−θ／２（度）である。すなわち、屋根構成材２０の一対の斜辺（辺２０ｔ，２０ｕ）がなす角度は、屋根傾斜角θ（度）と等しい。なお、展開図で見れば、屋根構成材２０の一対の斜辺（辺２０ｔ、２０ｕ）がなす角度は、角度θ’（度）（図２参照）と等しい。
【００３０】
屋根２を構成する複数の屋根構成材２０は、その断面の寸法・形状が総て同一であるが、図１（ｂ）に示すように、その長さ寸法が正面側から背面側に向かうにしたがって、順次小さくなっている。すなわち、屋根構成材２０の平行な二辺は、その短辺が正面側に隣接する他の屋根構成材２０’の長辺と同じ長さになっており、また、その長辺が背面側に隣接する他の屋根構成材２０”の短辺と同じ長さになっている。なお、一の屋根構成材２０の長さ寸法は、展開図で見たときの幅寸法をＤＲとすると、その正面側に隣接する他の屋根構成材２０よりも２ＤＲ×tan（θ’／２）だけ大きくなっている。
【００３１】
また、屋根構成材２０は、図９（ａ）に示すように、その長手方向に沿って互いに平行に配置された前側継手板２１および後側継手板２２と、この両継手板２１，２２間に配設された等脚台形を呈する外殻板２３とを備えて構成されている。
【００３２】
前側継手板２１および後側継手板２２は、図９（ｃ）に示すように、それぞれ外殻板２３に垂直な面に対して角度θ／２（度）だけ傾斜しており、その離隔距離ｙは、図７（ｃ）に示す壁構成材１０の両継手板１１，１２の離隔距離ｘと等しい。また、図９（ｂ）に示すように、両継手板２１，２２には、それぞれ段差が形成されており、一の屋根構成材２０の後側継手板２２を他の屋根構成材２０”の前側継手板２１に突き合わせたときに、一の屋根構成材２０の後側継手板２２の外面２２ａ（以下、「後側接合端面２２ａ」という）と他の壁構成材２０”の前側継手板２１の外面２１ａ（以下、「前側接合端面２１ａ」という）とが隙間をあけて対向する。すなわち、屋根構成材２０は、その前後の縁部に互いに平行な前側接合端面２１ａと後側接合端面２２ａとを有しており、この後側接合端面２２ａを隣接する他の屋根構成材２０”の前側接合端面２１ａに突き合わせた状態で他の屋根構成材２０”と接合される。
【００３３】
なお、図９（ｃ）に示すように、両継手板２１，２２は、その先端部２１ｂ，２２ｂが内側に折り曲げられており、内装材等を取り付ける際に利用される。また、このようにすると、屋根構成材２０の断面性能が向上し、さらに、屋根構成材２０を押出形材で形成する場合には、当該押出形材の押出精度が向上するという利点もある。また、図６に示す壁構成材１０と同様に、屋根構成材２０の両継手板２１，２２は、その長手方向の端部が切除されている。
【００３４】
また、図９（ｂ）に示すように、一の屋根構成材２０の後側継手板２２と他の屋根構成材２０”の前側継手板２１との間には、平板状の補剛材４２が介設されており、一の屋根構成材２０の後側継手板２２と他の屋根構成材２０”の前側継手板２１とともに、リブＲ２を構成する。なお、補剛材４２の構成および機能は、前記した補剛材４１と同様であるので、詳細な説明は省略する。
【００３５】
さらに、一の屋根構成材２０の後側継手板２２と他の屋根構成材２０”の前側継手板２１との間であって、壁構成材１０と屋根構成材２０（図５参照）との境界部分には、Ｌ字形状を呈する連結材５１（図６参照）が介設される。
【００３６】
床構成材３０は、図８および図９に示す屋根構成材２０と同一である。すなわち、壁構成材１０の下辺１０ｕ（図５参照）と接する辺を斜辺とする等脚台形を呈しており、その長手方向に沿って互いに平行に配置された前側継手板３１および後側継手板３２（図９参照）と、この両継手板３１，３２間に配設された外殻板３３とを備えて構成されている。また、両継手板３１，３２は、外殻板３３に垂直な面に対して角度θ／２（度）だけ傾斜している（図９（ｃ）参照）。
【００３７】
また、図１０に示すように、一の床構成材３０の前側継手板３１と他の床構成材３０’の後側継手板３２との間には、平板状の補剛材４３が介設されており、一の床構成材３０の前側継手板３１と他の床構成材３０’の後側継手板３２とともに、リブＲ３を構成する。なお、補剛材４３の構成および機能は、前記した補剛材４１，４２と同様であるので、詳細な説明は省略する。
【００３８】
さらに、図１０に示すように、一の床構成材３０の前側継手板３１と他の床構成材３０’の後側継手板３２との間であって、壁構成材１０と床構成材３０との境界部分には、Ｌ字形状を呈する連結材５２が介設される。
【００３９】
壁構成材１０、屋根構成材２０および床構成材３０をそれぞれ前記した規則に従って形成した場合には、これらの断面形状・寸法を同一にすることができる。言い換えれば、一種類の形材から壁構成材１０、屋根構成材２０および床構成材３０を形成することが可能となる。すなわち、図７（ｃ）に示す断面を有する形材を、長手方向と直交する方向に対して角度θ’／２（度）（平面視したときにはθ／２（度））だけ傾斜させた面で切断するだけで、各構成材１０，２０，３０を形成することができるので、非常に経済的である。
【００４０】
また、壁構成材１０、屋根構成材２０および床構成材３０は、アルミニウム合金製の押出形材とするのがよい。このようにすると、白蟻の食害を受けることがなく、さらには、雨水や湿気により腐食することもないので、供用後の維持管理費用を大幅に削減することができる。また、各構成材１０，２０，３０は、押出形材を適宜な長さ・角度で切断するだけで製造することができるので、大量生産に適している。さらに、押出形材の寸法精度が木材等と比べて格段に高いので、複数の押出形材を連接した場合であっても、狂いの少ない建物とすることができる。また、強度の割に軽いアルミニウム合金製の押出形材で各構成材１０，２０，３０を形成するため、現場での取り回しが容易になるという利点もある。
【００４１】
また、壁構成材１０、屋根構成材２０および床構成材３０をそれぞれ前記した規則に従って形成した場合には、壁構成材１０の前側継手板１１と屋根構成材２０の前側継手板２１と床構成材３０の前側継手板３１とが同一平面上に位置することになり、且つ、壁構成材１０の後側継手板１２と屋根構成材２０の後側継手板２２と床構成材３０の後側継手板３１とが同一平面上に位置することになるので、壁構成材１０，１０”間のリブＲ１（図７（ｂ）参照）、屋根構成材２０，２０”間のリブＲ２（図９（ｂ）参照）および床構成材３０，３０”間のリブＲ３（図１０参照）も同一平面上に形成されることになる（以下、リブＲ１，Ｒ２，Ｒ３を総称して「リブＲ」という）。そして、リブＲにより、ユニットＵ１の面内方向の剛性（せん断剛性）が特に向上し、さらに、このようなリブＲが、奥行方向に所定の間隔をあけて複数箇所に形成されることになるので、建物Ｔ２は、非常に高い剛性を有しているといえる。なお、複数のリブＲは、互いに平行である。
【００４２】
さらに、ユニットＵ１において、壁構成材１０がその上辺１０ｔと下辺１０ｕ（図５参照）とを斜辺とする等脚台形であり、且つ、屋根構成材２０と床構成材３０とが同一であることから、壁構成材１０と屋根構成材２０との接合構造と、壁構成材１０と床構成材３０との接合構造が同一になる。
【００４３】
（建物の構築方法）
次に、建物Ｔ１の構築方法の一例を、図１０を参照して説明する。
まず、既に枠状に組み立てられたユニットＵ１の床構成材３０の前側継手板３１に、その正面側に隣接するユニットＵ１’を構成する床構成材３０’の後側継手板３２を突き合わせる。
【００４４】
続いて、ユニットＵ１の床構成材３０の前側接合端面３１ａ（図９（ｂ）参照）とユニットＵ１’の床構成材３０’の後側接合端面３２ａ（図９（ｂ）参照）との間に形成された隙間に平板状の補剛材４３を介設するとともに、壁構成材１０との境界部分に連結材５２を介設し、さらに、これらをボルトＢ１・ナットＮ１で一体にする。
【００４５】
次に、ユニットＵ１の壁構成材１０の前側継手板１１に、ユニットＵ１’の壁構成材１０’の後側継手板１２（後側接合端面１２ａ）を突き合わせるとともに、ユニットＵ１の壁構成材１０の前側接合端面１１ａ（図７（ｂ）参照）とユニットＵ１’の壁構成材１０’の後側接合端面１２ａ（図７（ｂ）参照）との間に形成された隙間に平板状の補剛材４１を介設し、さらに、屋根構成材２０（図４参照）との境界部分に連結材５１（図６参照）を介設した上で、これらをボルトＢ１・ナットＮ１で一体にする。
【００４６】
同様に、図示は省略するが、ユニットＵ１の屋根構成材２０の前側継手板２１に、ユニットＵ１’の屋根構成材２０’の後側継手板２２を突き合わせ、その間に補剛材４２を介設した上で、これらをボルト・ナットで一体にする（図９（ａ）（ｂ）参照）。
【００４７】
そして、このような作業を順次繰り返して、所定数のユニットＵ１を奥行方向に隙間なく連接し、その後、図１１（ａ）に示すように、正面側の開口部に壁６１、窓６２、ドア６３等を適宜設けるとともに、図１１（ｂ）に示すように、背面側の開口部に窓６４等を適宜設け、さらに、図１２（ａ）（ｂ）に示すように、壁体１、屋根２および床体３の内面に各種仕上材６５を貼り付けるとともに、間仕切壁６６やロフト６７等を設けると、建物Ｔ１の構築が完了する。なお、建物Ｔ１では、構造材たる各構成材１０，２０，３０が隙間なく並べられているので、各構成材１０，２０，３０が外装材を兼ねている。
【００４８】
なお、建物Ｔ１の間取り、窓等の形状・配置等は、適宜変更しても差し支えないことは言うまでもないが、例えば、天井高の大きい正面側にロフト６７を設けることで、正面側に向かうに従って天井高さが漸増する建物Ｔ１の内部空間を有効に利用することが可能となり、さらに、天井高の大きい正面側の開口部の上部に窓６２を設けることで、効率よく太陽光を取り入れることが可能となる。さらに、壁体１，屋根２および床体３だけで強固な構造体となるので、必ずしも建物内部に壁を配置する必要がなく、その結果、間取りの自由度が非常に高いものとなる。
【００４９】
このように、所定の規則に従って形成された複数の壁構成材１０、屋根構成材２０および床構成材３０を隙間なく連接するだけで天井高さや横幅が漸増・漸減する斬新なデザインの建物Ｔ１を容易に構築することができる。しかも、壁構成材１０と屋根構成材２０との接合構造と、壁構成材１０と床構成材３０との接合構造が同一になるので、組立作業を迅速に行うことができる。さらに、壁構成材１０、屋根構成材２０および床構成材３０を一種類の押出形材から形成することができるので、非常に経済的である。
【００５０】
なお、建物Ｔ１の構築手順は、前記したものに限定されることはなく、適宜変更しても差し支えない。例えば、複数の床構成材３０を奥行方向に連接して床体３を構成し、次いで、複数の壁構成材１０を奥行方向に連接して構成した壁体１を床体１の斜辺に沿って立設し、その後、複数の屋根構成材２０を奥行方向に連接して構成した屋根２を壁体１，１間に覆設する、という手順でもよい。
【００５１】
すなわち、複数の床構成材３０を奥行方向に連接して床体３を構成するとともに、各床構成材３０の両端部において隣接する他の床構成材３０’との間にＬ字形の連結材５２（図６参照）を介設しておき、次いで、複数の壁構成材１０を奥行方向に連接して壁体１を構成したうえで、隣接する壁構成材１０，１０’間に床体３に配設された連結材５２の上方へ立ち上がる部分を挿入して壁体１を床体３の斜辺に沿って立設し、その後、複数の屋根構成材２０を奥行方向に連接して屋根２を構成するとともに、各屋根構成材２０の両端部において隣接する他の屋根構成材２０’との間にＬ字形の連結材５１（図６参照）を介設したうえで、この連結材５１の下方へ垂れ下がる部分を壁体１の上端部の隣接する壁構成材１０，１０間の挿入して屋根２を壁体１，１間に覆設する、という手順でもよい。
【００５２】
（屋根構成材の変形例）
図９に示す屋根構成材２０に替えて、図１３に示す屋根構成材２０を使用してもよい。図１３に示す屋根構成材２０は、外殻板２３の端縁から正面側に向かって延設された重ね部２３ａを有している。また、外殻板２３の背面側には、重ね部２３ａに対応する段差部２３ｂが形成されている。このようにすると、複数の屋根構成材２０を連接したときに、一の屋根構成材２０の重ね部２３ａが隣接する他の屋根構成材２０’の段差部２３ｂ上に配設されることになるので、雨仕舞が良好になる。なお、図示は省略するが、隣接する屋根構成材２０，２０’の適宜な位置に、シール材を配置してもよい。
【００５３】
（他の実施形態）
第１の実施形態に係る建物Ｔ１では、壁体１、屋根２および床体３をそれぞれ等脚台形としたが、これに限定されることはなく、等脚台形以外の形状であってもよい。
【００５４】
すなわち、壁体を構成する壁構成材、屋根を構成する屋根構成材および床を構成する床構成材の形状を、等脚台形以外の形状にしてもよい。
【００５５】
ここで、長手方向に等断面を有する壁構成材、屋根構成材および床構成材を使用して本発明に係る建物を構築する場合に、屋根傾斜角θを確保するための条件を図１４（ｂ）を参照して説明する。
【００５６】
図１４（ｂ）に示すように、壁構成材Ｗを側面視したとき（奥行方向に直交する方向から見たとき）に、壁構成材Ｗの下辺ｕＷと壁構成材Ｗの中心線ｐＷとのなす角度が９０−α（度）である場合、下辺ｕＷを水平にした状態で壁構成材Ｗを立設すると、壁構成材Ｗの中心線ｐＷが鉛直線ｖに対して角度α（度）だけ傾斜することになるが、この場合において上辺ｔＷを水平線ｈに対して屋根傾斜角θ（度）で傾斜させるためには、壁構成材Ｗの上辺ｔＷと中心線ｐＷとのなす角度を９０−θ＋α（度）とする必要がある。なお、壁構成材Ｗを側面視したときに、壁構成材Ｗの一対の斜辺（上辺ｔＷと下辺ｕＷ）がなす角度は、α＋（θ−α）＝θ（度）となる。
【００５７】
なお、図５に示すように、第１の実施形態に係る壁構成材１０は、等脚台形（すなわち、α＝θ−α（度））であるから、α＝θ／２（度）である。したがって、壁構成材１０の上辺および下辺をそれぞれ中心線ｐに直交する線に対して角度θ／２（度）で傾斜させれば、壁構成材１０の中心線ｐが鉛直線ｖに対して角度θ／２（度）だけ傾斜し、上辺１０ｔが水平線ｈに対して屋根傾斜角θ（度）で傾斜することになる。
【００５８】
また、前側継手板と後側継手板とを有する壁構成材、屋根構成材および床構成材を使用して屋根傾斜角θ（度）を有する建物を構築する場合に、壁構成材の前側継手板と屋根構成材の前側継手板と床構成材の前側継手板が同一平面上にあり、且つ、壁構成材の後側継手板と屋根構成材の後側継手板と床構成材の後側継手板とが同一平面上にあるための条件は、壁構成材Ｗを側面視したときに、壁構成材Ｗの中心線ｐＷが鉛直線ｖに対して角度α（度）だけ傾斜し（図１４（ｂ）参照）、屋根構成材Ｒを平面視したとき（鉛直方向から見たとき）に、屋根構成材Ｒにおいて壁構成材Ｗの上辺ｔＷに接する辺ｔＲと屋根構成材Ｒの中心線ｐＲとがなす角度が９０−γ（度）であるとき（図１４（ａ）参照）には、以下のようになる。
（１）壁構成材Ｗの前側継手板Ｗ１および後側継手板Ｗ２が、外殻板Ｗ３に垂直な面に対して角度γ（度）で傾斜していること（図１４（ｄ）参照）。
（２）屋根構成材Ｒの前側継手板Ｒ１および後側継手板Ｒ２が、外殻板Ｒ３に垂直な面に対して角度θ−α（度）だけ傾斜していること（図１４（ｃ）参照）。
（３）壁構成材Ｗの両継手板Ｗ１，Ｗ２の離隔をｘ、屋根構成材Ｒの両継手板Ｒ１，Ｒ２の離隔をｙとしたときに、ｙ＝ｘであること（図１４（ｃ）（ｄ）参照）。
（４）床構成材Ｆを平面視したときに、壁構成材Ｗの下辺ｓＷに接する辺と中心線とがなす角度が９０−γ（度）であること（図示略）。
（５）床構成材Ｆの前側継手板Ｆ１および後側継手板Ｆ２が、外殻板Ｆ３に垂直な面に対して角度α（度）だけ傾斜していること（図１４（ｅ）参照）。
（６）壁構成材Ｗの両継手板Ｗ１，Ｗ２の離隔をｘ、床構成材の両継手板の離隔をｚとしたときに、ｚ＝ｘであること（図１４（ｃ）（ｅ）参照）。
【００５９】
例えば、第１の実施形態に係る建物Ｔ１（壁構成材１０、屋根構成材２０および床構成材３０）の条件（α＝θ／２（度），γ＝θ／２（度））を、前記した（１）〜（６）に当てはめると、以下のようになる。
（１−１）壁構成材１０の前側継手板１１および後側継手板１２が、外殻板１３に垂直な面に対して角度θ／２（度）で傾斜していること（図７（ｃ）参照）。
（２−１）屋根構成材２０の前側継手板２１および後側継手板２２が、外殻板２３に垂直な面に対して角度θ／２（度）だけ傾斜していること（図９（ｃ）参照）。
（３−１）壁構成材１０の両継手板１１，１２の離隔をｘ、屋根構成材２０の両継手板２１，２２の離隔をｙとしたときに、ｙ＝ｘであること（図７（ｃ），図９（ｃ）参照）。
（４−１）床構成材３０を平面視したときに、壁構成材１０の下辺１０ｓに接する辺と中心線ｐとがなす角度が９０−θ／２（度）であること（図示略）。
（５−１）床構成材３０の前側継手板３１および後側継手板３２が、外殻板３３に垂直な面に対して角度θ／２（度）だけ傾斜していること（図９（ｃ）参照）。
（６−１）壁構成材１０の両継手板１１，１２の離隔をｘ、床構成材３０の両継手板３１，３２の離隔をｚとしたときに、ｚ＝ｘであること（図９（ｃ）参照）。
【００６０】
また、図１５（ａ）に示す第２の実施形態に係る建物Ｔ２は、複数の枠状のユニットＵ２を奥行方向に連接して構成した建物であって、対向して立設された側面視台形を呈する一対の壁体１０１，１０１と、この壁体１０１，１０１の上辺間に覆設された平面視長方形を呈する屋根１０２と、壁体１０１，１０１の下辺間に配設された平面視長方形を呈する床体１０３とを備えて構成されており、図１５（ｂ）に示すように、壁体１０１は、複数の長尺材１１０（以下、「壁構成材１１０」という）をその短手方向に隙間なく連接して構成したものであり、屋根１０２は、複数の長尺材１２０（以下、「屋根構成材１２０」という）をその短手方向に隙間なく連接して構成したものであり、同様に、床体１０３は、複数の長尺材１３０（以下、「床構成材１３０」という）をその短手方向に隙間なく連接して構成したものである。かかる建物Ｔ２において、壁構成材１１０の前側継手板１１１と屋根構成材１２０の前側継手板１２１と床構成材１３０の前側継手板１３１が同一平面上にあり、且つ、壁構成材１１０の後側継手板１１２と屋根構成材１２０の後側継手板１２２と床構成材１３０の後側継手板１３２とが同一平面上にあるための条件は、前記した（１）〜（６）より、以下のようになる。なお、壁構成材１１０は台形であり、壁構成材１１０を側面視したときに、壁構成材１１０の中心線ｐが鉛直線ｖに対して角度α（度）だけ傾斜しており（図１６（ｂ）参照）、屋根構成材１２０を平面視したときに、屋根構成材１２０において壁構成材１１０の上辺１１０ｔに接する辺１２０ｔと屋根構成材１２０の中心線ｐとがなす角度が９０（度）（すなわち、γ＝０（度））になっている（図１６（ａ）参照）。
【００６１】
（１−２）壁構成材１１０の前側継手板１１１および後側継手板１１２が、外殻板１１３に垂直であること（図１６（ｄ）参照）。
（２−２）屋根構成材１２０の前側継手板１２１および後側継手板１２２が、外殻板１２３に垂直な面に対して角度θ−α（度）だけ傾斜していること（図１６（ｃ）参照）。
（３−２）壁構成材１１０の両継手板１１１，１１２の離隔をｘ、屋根構成材１２０の両継手板１２１，１２２の離隔をｙとしたときに、ｙ＝ｘであること（図１６（ｃ）（ｄ）参照）。
（４−２）床構成材１３０を平面視したときに、壁構成材１１０の下辺１１０ｓに接する辺と中心線とがなす角度が９０（度）であること（図示略）。
（５−２）床構成材１３０の前側継手板１３１および後側継手板１３２が、外殻板１３３に垂直な面に対して角度α（度）だけ傾斜していること（図１６（ｅ）参照）。
（６−２）壁構成材１１０の両継手板１１１，１１２の離隔をｘ、床構成材１３０の両継手板１３１，１３２の離隔をｚとしたときに、ｚ＝ｘであること（図１６（ｃ）（ｅ）参照）、である。
【００６２】
また、図１７（ａ）（ｂ）に示す第３の実施形態に係る建物Ｔ３は、図１５（ａ）に示す建物Ｔ２と同様に、複数の枠状のユニットＵ３を奥行方向に連接して構成した建物であって、台形を呈する一対の壁体２０１，２０１と、長方形を呈する屋根２０２と、同じく長方形を呈する床体２０３とを備えて構成されたものであるが、図１８（ｂ）に示すように、壁体２０１を構成する壁構成材２１０の中心線ｐが鉛直になっている（すなわち、α＝０（度））。かかる建物Ｔ３において、壁構成材２１０の前側継手板２１１と屋根構成材２２０の前側継手板２２１と床構成材２３０の前側継手板２３１が同一平面上にあり、且つ、壁構成材２１０の後側継手板２１２と屋根構成材２２０の後側継手板２２２と床構成材２３０の後側継手板２３２とが同一平面上にあるための条件は、前記した（１）〜（６）より、以下のようになる。
【００６３】
（１−３）壁構成材２１０の前側継手板２１１および後側継手板２１２が、外殻板２１３に垂直であること（図１８（ｄ）参照）。
（２−３）屋根構成材２２０の前側継手板２２１および後側継手板２２２が、外殻板２２３に垂直な面に対して角度θ（度）だけ傾斜していること（図１８（ｃ）参照）。
（３−３）壁構成材２１０の両継手板２１１，２１２の離隔をｘ、屋根構成材２２０の両継手板２２１，２２２の離隔をｙとしたときに、ｙ＝ｘであること（図１８（ｃ）（ｄ）参照）。
（４−３）床構成材２３０を平面視したときに、壁構成材２１０の下辺２１０ｓに接する辺と中心線とがなす角度が９０（度）であること（図示略）。
（５−３）床構成材２３０の前側継手板２３１および後側継手板２３２が、外殻板２３３に垂直にであること（図１８（ｅ）参照）。
（６−３）壁構成材２１０の両継手板２１１，２１２の離隔をｘ、床構成材２３０の両継手板２３１，２３２の離隔をｚとしたときに、ｚ＝ｘであること（図１８（ｅ）参照）。
【００６４】
このように、前記した（１）〜（６）を満たすように適宜各構成材の寸法・形状を設定すると、これらを組み立てて枠状のユニットを形成した場合に、壁構成材の前側継手板と屋根構成材の前側継手板と床構成材の前側継手板とが同一平面上に位置することになり、且つ、壁構成材の後側継手板と屋根構成材の後側継手板と床構成材の後側継手板とが同一平面上に位置することになり、その結果、各ユニットの面内方向の剛性（せん断剛性）が特に向上するので、地震力や風圧力等の水平力に対する変形抵抗が非常に高いものとなる。また、壁構成材と屋根構成材あるいは床構成材とを接合する場合に、各構成材の前側継手板同士および後側継手板同士を接合する構成にすれば、各構成材の前側継手板が同一平面上に位置し、且つ、各構成材の後側継手板が同一平面上に位置していることから、総ての接合部において、図１０に示す接合構造を採用することが可能となる。
【００６５】
なお、図１４において、γ＝θ−α（度）とした場合には、壁構成材Ｗと屋根構成材Ｒとが同一の断面形状になることから、壁構成材Ｗと屋根構成材Ｒを一種類の形材で構成することができる。また、γ＝α（度）とした場合には、壁構成材Ｗと床構成材Ｆとが同一の断面形状になることから、壁構成材Ｗと屋根構成材Ｒを一種類の形材で構成することができる。そして、α＝θ／２（度）とした場合には、壁構成材Ｗと屋根構成材Ｒと床構成材Ｆとが同一の断面形状となることから、これを一種類の形材で構成することができる。例えば、図１５に示す第２の実施形態に係る建物Ｔ２は、三種類の形材を必要とするが（図１６（ｃ）〜（ｅ）参照）、図１７に示す第３の実施形態に係る建物Ｔ３は、二種類の形材で構成することができ（図１８（ｃ）〜（ｅ）参照）、さらに、図１に示す第１の実施形態に係る建物Ｔ１は、一種類の形材で構成することができる（図７（ｃ）、図９（ｃ）参照）。
【００６６】
なお、前記した建物Ｔ１〜Ｔ３の屋根形状は、「方流れ」タイプであったが、図１９および図２０に示す第４の実施形態に係る建物Ｔ４の屋根形状のように、「バタフライ」タイプのものであってもよい。
【００６７】
建物Ｔ４は、図１９（ａ）に示すように、対向して立設された一対の壁体３０１，３０１と、この壁体３０１，３０１の上辺間に覆設された屋根３０２と、壁体３０１，３０１の下辺間に配設された床体３０３とを備えて構成されている。
【００６８】
壁体３０１は、図２０に示すように、正面側から背面側に向かうに従って高さ寸法が漸減する第一の壁体３０１Ａと、正面側から背面側に向かうに従って高さ寸法が漸増する第二の壁体３０１Ｂとからなる。両壁体３０１Ａ，３０１Ｂは、ともに台形を呈しており、かつ、その境界での高さ寸法が等しい。
【００６９】
屋根３０２は、図１９（ａ）（ｂ）に示すように、第一の壁体３０１Ａ，３０１Ａの上辺間に覆設される第一の屋根３０２Ａと、第二の壁体３０１Ｂ，３０１Ｂの上辺間に覆設される第二の屋根３０２Ｂとからなる。第一の屋根３０２Ｂは、等脚台形を呈しており、正面側から背面側に向かうに従って幅（長さ）寸法が漸減している。また、第二の屋根３０２Ｂは、等脚台形を呈しており、正面側から背面側に向かうに従って幅（長さ）寸法が漸増している。
【００７０】
床体３０３は、図１９（ａ）（ｂ）に示すように、第一の壁体３０１Ａ，３０１Ａの下辺間に配設される第一の床体３０３Ａと、第二の壁体３０１Ｂ，３０１Ｂの下辺間に配設される第二の床体３０３Ｂとからなる。第一の床体３０３Ａは、等脚台形を呈しており、正面側から背面側に向かうに従って幅（長さ）寸法が漸減している。また、第二の床体３０３Ｂは、等脚台形を呈しており、正面側から背面側に向かうに従って幅（長さ）寸法が漸増している。
【００７１】
建物Ｔ４は、枠状に形成された複数のユニットＵ４を奥行方向に連接して構成したものである。また、ユニットＵ４は、前記した建物Ｔ１のユニットＵ１と同様に、壁構成材と屋根構成材と床構成材とにより構成されている。このユニットＵ４も、前記した（１）〜（６）を満たすように適宜各構成材の寸法・形状を設定すれば、これらを組み立てて枠状のユニットＵ４を形成した場合に、壁構成材の前側継手板と屋根構成材の前側継手板と床構成材の前側継手板とが同一平面上に位置することになり、且つ、壁構成材の後側継手板と屋根構成材の後側継手板と床構成材の後側継手板とが同一平面上に位置することになり、その結果、ユニットＵ４の面内方向の剛性（せん断剛性）が特に向上するので、地震力や風圧力等の水平力に対する変形抵抗が非常に高いものとなる。
【００７２】
また、前記した建物Ｔ１〜Ｔ４では、対向する一対の壁体が同一形状であり、また、床体が水平に配設されていたが、図２１および図２２に示す第５の実施形態に係る建物Ｔ５のように、形状が異なる二種類の壁体４０１，４０１’を対向させたものであってもよく、さらには、床体４０３の一部を傾斜させたものであってもよい。
【００７３】
すなわち、図２１および図２２（ａ）に示すように、一方の壁体４０１は、第一の壁体４０１Ａと第二の壁体４０１Ｂとを組み合わせたものであり、他方の壁体４０１’は、第三の壁体４０１Ｃと第四の壁体４０１Ｄと第５の壁体４０１Ｅとを組み合わせたものである。
【００７４】
また、床体４０３は、長方形を呈する第一の床体４０３Ａと台形を呈する第二の床体４０３Ｂと同じく台形を呈する第三の床体４０３Ｃとから構成されており、第三の床体４０３Ｃが水平面に対して傾斜している（図２１、図２２（ｂ）参照）。
【００７５】
このような複雑な立体形状を呈し、斬新且つ奇抜なデザインの建物Ｔ５も、前記した建物Ｔ１と同様に、壁構成材と屋根構成材と床構成材とにより枠状に形成された複数のユニットを奥行方向に連接することにより容易に構成することができる。また、各ユニットにおいて、前記した（１）〜（６）を満たすように適宜各構成材の寸法・形状を設定すれば、これらを組み立てて枠状のユニットを形成した場合に、壁構成材の前側継手板と屋根構成材の前側継手板と床構成材の前側継手板とが同一平面上に位置することになり、且つ、壁構成材の後側継手板と屋根構成材の後側継手板と床構成材の後側継手板とが同一平面上に位置することになり、その結果、ユニットの面内方向の剛性（せん断剛性）が特に向上するので、地震力や風圧力等の水平力に対する変形抵抗が非常に高いものとなる。また、壁構成材と屋根構成材あるいは床構成材とを接合する場合に、各構成材の前側継手板同士および後側継手板同士を接合する構成にすれば、各構成材の前側継手板が同一平面上に位置し、且つ、各構成材の後側継手板が同一平面上に位置していることから、総ての接合部において、図１０に示す接合構造を採用することが可能となる。
【００７６】
ちなみに、図１９（ｂ）に示すように、建物Ｔ５は、二種類の形材を組み合わせることで構築することができる。
【００７７】
また、前記した建物Ｔ１〜Ｔ５は、枠状を呈する複数のユニットを奥行方向に連接して構成したが、図２３に示す第６の実施形態に係る建物Ｔ６のように、門形を呈する複数のユニットＵ６を奥行方向に連接して構成してもよい。
【００７８】
ユニットＵ６は、対向する一対の壁構成材１０，１０と、壁構成材１０，１０間に架設された屋根構成材２０とを備えて構成されており、正面側からみると、門形を呈している。なお、壁構成材１０および屋根構成材２０は、第１の実施形態で説明したものと同一であるので、詳細な説明は省略する。
【００７９】
なお、前記した各実施形態では、壁構成材、屋根構成材および床構成材を断面溝形の押出形材で形成したものを例示したが、このような断面形状に限定されることはなく、適宜変更しても差し支えない。例えば、図示は省略するが、長手方向に中空部を有する形材で各構成材を形成してもよく、さらには、断面Ｔ字形の形材で各構成材を形成してもよい。
【図面の簡単な説明】
【００８０】
【図１】（ａ）は第１の実施形態に係る建物を正面方向から見た斜視図、（ｂ）は（ａ）の展開図である。
【図２】図１（ａ）の模式図である。
【図３】図１（ａ）の側面図である。
【図４】図１（ａ）の分解斜視図である。
【図５】図３の拡大図である。
【図６】壁構成材を示す斜視図である。
【図７】壁構成材の断面図（図５のＸ１−Ｘ１断面図）である。
【図８】屋根構成材の拡大平面図である。
【図９】屋根構成材の断面図（図８のＸ２−Ｘ２断面図）である。
【図１０】壁構成材と床構成材との接合部分を示す分解斜視図である。
【図１１】（ａ）は第一の実施形態に係る建物の正面図、（ｂ）は同じく背面図である。
【図１２】（ａ）は図１１（ｂ）のＸ４−Ｘ４断面図、（ｂ）は図１１（ａ）のＸ３−Ｘ３断面図である。
【図１３】屋根構成材の変形例を示す断面図である。
【図１４】壁構成材、屋根構成材および床構成材の一般的な関係を示す模式図であって、（ａ）は屋根構成材の平面図、（ｂ）は壁構成材の側面図、（ｃ）は（ａ）のＸ５−Ｘ５断面図、（ｄ）は（ｂ）のＸ６−Ｘ６断面図、（ｅ）は床構成材の断面図である。
【図１５】（ａ）は第２の実施形態に係る建物を正面方向から見た斜視図、（ｂ）は（ａ）の展開図である。
【図１６】図１５に示す建物に係る壁構成材、屋根構成材および床構成材の関係を示す模式図であって、（ａ）は屋根構成材の平面図、（ｂ）は壁構成材の側面図、（ｃ）は（ａ）のＸ７−Ｘ７断面図、（ｄ）は（ｂ）のＸ８−Ｘ８断面図、（ｅ）は床構成材の断面図である。
【図１７】（ａ）は第３の実施形態に係る建物を正面方向から見た斜視図、（ｂ）は（ａ）の展開図である。
【図１８】図１７に示す建物に係る壁構成材、屋根構成材および床構成材の関係を示す模式図であって、（ａ）は屋根構成材の平面図、（ｂ）は壁構成材の側面図、（ｃ）は（ａ）のＸ９−Ｘ９断面図、（ｄ）は（ｂ）のＸ１０−Ｘ１０断面図、（ｅ）は床構成材の断面図である。
【図１９】（ａ）は第４の実施形態に係る建物を正面方向から見た斜視図、（ｂ）は（ａ）の展開図である。
【図２０】同じく側面図である。
【図２１】第５の実施形態に係る建物を正面方向から見た斜視図である。
【図２２】（ａ）は図２１の展開図、（ｂ）は同じく側面図である。
【図２３】第６の実施形態に係る建物の分解斜視図である。
【符号の説明】
【００８１】
１      壁体
２      屋根
３      床体
１０    壁構成材
１１    前側継手板
１１ａ  前側接合端面
１２    後側継手板
１２ａ  後側接合端面
１３    外殻板
２０    屋根構成材
２１    前側継手板
２１ａ  前側接合端面
２２    後側継手板
２２ａ  後側接合端面
２３    外殻板
３０    床構成材
３１    前側継手板
３１ａ  前側接合端面
３２    後側継手板
３２ａ  後側接合端面
３３    外殻板
４１，４２，４３    補剛材
５１，５２    連結材
【図１】
0004539686.tif 000002
【図２】
0004539686.tif 000003
【図３】
0004539686.tif 000004
【図４】
0004539686.tif 000005
【図５】
0004539686.tif 000006
【図６】
0004539686.tif 000007
【図７】
0004539686.tif 000008
【図８】
0004539686.tif 000009
【図９】
0004539686.tif 000010
【図１０】
0004539686.tif 000011
【図１１】
0004539686.tif 000012
【図１２】
0004539686.tif 000013
【図１３】
0004539686.tif 000014
【図１４】
0004539686.tif 000015
【図１５】
0004539686.tif 000016
【図１６】
0004539686.tif 000017
【図１７】
0004539686.tif 000018
【図１８】
0004539686.tif 000019
【図１９】
0004539686.tif 000020
【図２０】
0004539686.tif 000021
【図２１】
0004539686.tif 000022
【図２２】
0004539686.tif 000023
【図２３】
0004539686.tif 000024